【手続補正書】
【提出日】平成30年5月24日(2018.5.24)
【手続補正１】
【補正対象書類名】特許請求の範囲
【補正対象項目名】全文
【補正方法】変更
【補正の内容】
【特許請求の範囲】
【請求項１】
ビデオデータを処理する方法であって、
複数の出力オペレーションポイントを有する符号化ビデオデータを受信するステップと、
前記複数の出力オペレーションポイントから、選択された出力オペレーションポイントを抽出するステップであって、前記選択された出力オペレーションポイントは、ビットストリーム全体のサブビットストリームである、ステップと、
前記選択された出力オペレーションポイントが、ベースレイヤのみが出力されるべきである、ビットストリーム全体、およびベースレイヤのみが出力されるべきである、前記ビットストリーム全体の時間サブセットのうちの1つに対応することに応答して、
前記選択された出力オペレーションポイントに対して第1のビットストリーム適合性試験を実施するステップであって、前記第1のビットストリーム適合性試験は、ベースレイヤ向けのアクティブシーケンスパラメータセット(SPS)中のシーケンスレベル仮想参照デコーダ(HRD)パラメータのセット、および1つまたは複数の非ネスト化付加拡張情報(SEI)メッセージに基づき、前記1つまたは複数の非ネスト化SEIメッセージの各非ネスト化SEIメッセージはSEIネットワーク抽象化レイヤ(NAL)ユニット中に直接含まれる、ステップと、
前記選択された出力オペレーションポイントが、ベースレイヤのみが出力されるべきである、アクティブビデオパラメータセット(VPS)のベースVPSによって指定されたレイヤセット、および前記レイヤセットの時間サブセットのうちの1つに対応することに応答して、
前記選択された出力オペレーションポイントに対して第2のビットストリーム適合性試験を実施するステップであって、前記第2のビットストリーム適合性試験は、前記ベースVPS中のシーケンスレベルHRDパラメータのセット、および直接ネスト化SEIメッセージに基づき、前記直接ネスト化SEIメッセージは、スケーラブルなネスティングSEIメッセージ中に直接含まれる、ステップと、
前記選択された出力オペレーションポイントが、前記アクティブVPSのVPS拡張によって指定された出力レイヤセット(OLS)、および前記OLSの時間サブセットのうちの1つに対応することに応答して、
前記選択された出力オペレーションポイントに対して第3のビットストリーム適合性試験を実施するステップであって、前記第3のビットストリーム適合性試験は、前記アクティブVPS中のシーケンスレベルHRDパラメータのセット、および間接ネスト化SEIメッセージに基づき、前記間接ネスト化SEIメッセージはビットストリーム区分ネスティングSEIメッセージ中に含められ、前記ビットストリーム区分ネスティングSEIメッセージはスケーラブルなネスティングSEIメッセージ中に含められる、ステップとを含む、方法。
【請求項２】
前記選択された出力オペレーションポイントが、前記アクティブVPSのベース部において識別されたOLSに対応するときにのみ、直接ネスト化SEIメッセージを適用するステップをさらに含み、前記直接ネスト化SEIメッセージは、バッファリング周期(BP)、ピクチャタイミング(PT)、およびデコーダユニット情報(DUI)SEIメッセージのうちの1つである、請求項1に記載の方法。
【請求項３】
前記選択された出力オペレーションポイントが、前記VPS拡張において指定されたOLSに対応するときにのみ、前記間接ネスト化SEIメッセージを適用するステップをさらに含み、前記間接ネスト化SEIメッセージは、BP、PT、およびDUI SEIメッセージのうちの1つである、請求項1に記載の方法。
【請求項４】
前記シーケンスレベルHRDパラメータセットを、前記SPS、前記ベースVPS、および前記VPS拡張のうちの1つの中のhrd_parameters()シンタックス構造中に含めるステップをさらに含む、請求項1に記載の方法。
【請求項５】
前記SEIメッセージは、BP、PT、およびDUI SEIメッセージのうちの1つを含む、請求項1に記載の方法。
【請求項６】
前記選択された出力オペレーションポイントに対して前記第3のビットストリーム適合性試験を実施するステップであって、前記第3のビットストリーム適合性試験は、前記アクティブVPS中の前記シーケンスレベルHRDパラメータセットにさらに基づき、間接ネスト化SEIメッセージは、前記ベースVPSおよび前記VPS拡張のうちの1つの中に置かれる、ステップをさらに含む、請求項1に記載の方法。
【請求項７】
前記選択された出力オペレーションポイントを、前記符号化ビデオデータの前記複数の出力オペレーションポイントから選択するステップをさらに含む、請求項1に記載の方法。
【請求項８】
ビデオデータを処理するための装置であって、
符号化ビデオデータを記憶するためのメモリ手段であって、前記ビデオデータは複数の出力オペレーションポイントを有する、メモリ手段と、
前記複数の出力オペレーションポイントから、選択された出力オペレーションポイントを抽出することであって、前記選択された出力オペレーションポイントは、ビットストリーム全体のサブビットストリームである、抽出することと、
前記選択された出力オペレーションポイントが、ベースレイヤのみが出力されるべきである、ビットストリーム全体、およびベースレイヤのみが出力されるべきである、前記ビットストリーム全体の時間サブセットのうちの1つに対応することに応答して、
前記選択された出力オペレーションポイントに対して第1のビットストリーム適合性試験を実施することであって、前記第1のビットストリーム適合性試験は、ベースレイヤ向けのアクティブシーケンスパラメータセット(SPS)中のシーケンスレベル仮想参照デコーダ(HRD)パラメータのセット、および1つまたは複数の非ネスト化付加拡張情報(SEI)メッセージに基づき、前記1つまたは複数の非ネスト化SEIメッセージの各非ネスト化SEIメッセージはSEIネットワーク抽象化レイヤ(NAL)ユニット中に直接含まれる、実施することと、
前記選択された出力オペレーションポイントが、ベースレイヤのみが出力されるべきである、アクティブビデオパラメータセット(VPS)のベースVPSによって指定されたレイヤセット、および前記レイヤセットの時間サブセットのうちの1つに対応することに応答して、
前記選択された出力オペレーションポイントに対して第2のビットストリーム適合性試験を実施することであって、前記第2のビットストリーム適合性試験は、前記ベースVPS中のシーケンスレベルHRDパラメータのセット、および直接ネスト化SEIメッセージに基づき、前記直接ネスト化SEIメッセージは、スケーラブルなネスティングSEIメッセージ中に直接含まれる、実施することと、
前記選択された出力オペレーションポイントが、前記アクティブVPSのVPS拡張によって指定された出力レイヤセット(OLS)、および前記OLSの時間サブセットのうちの1つに対応することに応答して、
前記選択された出力オペレーションポイントに対して第3のビットストリーム適合性試験を実施することであって、前記第3のビットストリーム適合性試験は、前記アクティブVPS中のシーケンスレベルHRDパラメータのセット、および間接ネスト化SEIメッセージに基づき、前記間接ネスト化SEIメッセージはビットストリーム区分ネスティングSEIメッセージ中に含められ、前記ビットストリーム区分ネスティングSEIメッセージはスケーラブルなネスティングSEIメッセージ中に含められる、実施することとを行うための、前記メモリ手段に動作可能に結合されたデコーダ手段とを備える、装置。
【請求項９】
前記デコーダ手段は、少なくとも1つのプロセッサによって実装される仮想参照デコーダである、請求項8に記載の装置。
【請求項１０】
前記デコーダ手段は、前記選択された出力オペレーションポイントが、前記アクティブVPSの前記VPSベースにおいて識別されたOLSに対応するときにのみ、直接ネスト化SEIメッセージを適用するように構成され、前記直接ネスト化SEIメッセージは、バッファリング周期(BP)、ピクチャタイミング(PT)、およびデコーダユニット情報(DUI)SEIメッセージのうちの1つである、請求項8に記載の装置。
【請求項１１】
前記デコーダ手段は、前記選択された出力オペレーションポイントが、前記アクティブVPSの前記VPS拡張において識別されたOLSに対応するときのみ、間接ネスト化SEIメッセージを適用するように構成され、前記間接ネスト化SEIメッセージは、BP、PT、およびDUI SEIメッセージのうちの1つである、請求項8に記載の装置。
【請求項１２】
前記シーケンスレベルHRDパラメータセットは、前記SPS、前記ベースVPS、および前記VPS拡張のうちの1つの中のhrd_parameters()シンタックス構造中に含められる、請求項11に記載の装置。
【請求項１３】
前記SEIメッセージは、BP、PT、およびDUI SEIメッセージのうちの1つを含む、請求項11に記載の装置。
【請求項１４】
前記デコーダ手段は、前記選択された出力オペレーションポイントに対して前記第3のビットストリーム適合性試験を実施するようにさらに構成され、前記第3のビットストリーム適合性試験は、前記アクティブVPS中の前記シーケンスレベルHRDパラメータセットにさらに基づき、間接ネスト化SEIメッセージは、前記ベースVPSおよび前記VPS拡張のうちの1つの中に置かれる、請求項11に記載の装置。
【請求項１５】
命令を含むコンピュータ可読記憶媒体であって、前記命令は、プロセッサによって実行されると、コンピュータに、請求項1から7のいずれか一項に記載の方法を行わせる、コンピュータ可読記憶媒体。